(57)【要約】      （修正有）【課題】違和感なくボールペンを持ち筆記する際に於いても、紙面に直角に近い角度で筆記先端が接するボールペンを提供する。【解決手段】ボールペンチップ２を先端に有するボールペンリフィルを内部に収納する真っ直ぐなペン軸筒２０の先端に、該ペン軸筒２０の軸芯方向に対して８度から１３度の角度を持つテーパー部２１を設け、該ボールペンチップ２を該テーパー部２１の先端穴２４から突出させる。先端角度付ボールペン１を違和感なく持った場合の該ペン軸筒２０の筆記面に対する角度に対して、該ボールペンチップ２の筆記面に対する角度が８度から１３度の角度で直角に近い角度となるようにした。【選択図】図１
2020093511.tif 000002
【特許請求の範囲】
【請求項１】
筆記先端としての先端に筆記ボール（４）を有するボールペンチップ（２）とインクを収納するインク収容管（３）が真っ直ぐな棒状で連結して成るリフィル（１０）を内部に収納する真っ直ぐなペン軸筒（２０）から構成されたボールペン（１）であって、該ボールペン（１）のペン軸筒（２０）の先端に設けられたテーパー部（２１）のテーパー根元（２２）からボールペンチップ（２）が出ている先端穴（２４）方向に前記真っ直ぐなペン軸筒（２０）を基準として８度から１３度の角度（２３）で前記テーパー部（２１）が構成された事を特徴とする先端角度付ボールペン（１）。
【発明の詳細な説明】
【技術分野】
【０００１】  本発明の先端角度付ボールペンは、人間工学的に違和感がなく、練習も必要とせずに、軽い筆圧や滑らかなタッチで書くことの出来るボールペンに関するものである。
【背景技術】
【０００２】  従来、ペン先に小さな筆記ボールを内蔵し運筆とともに回転することでインク収容管のインクを滲出させて筆記する構造を持ついわゆるボールペンのうち、この一連の機構をユニット化したリフィルをペン軸筒の内部に納めて使用するものが大半を占めている。【０００３】  又、太さ、色、インクの特性、ペン先の出し方などにおいて多くの種類が存在し、例えはペン先の出し方によって、ペン先を覆うキャップを取り外して用いるキャップ式や後部いわゆるペン尻のボタンを押すことでペン先を繰り出して用いるノック式などが知られている。
【発明の概要】
【発明が解決しようとする課題】
【０００４】  前記のようにペン先に内蔵した小さな筆記ボールが、ペン先内部に該筆記ボールを支えるための受座が有り、この受座が筆記ボールを正しい位置で支えられる角度で筆記するのが良いとされており、ボールペンは元々紙面に対して９０度の直角で書くことが筆記ボールと受座との関係、インクの滲出の構造上設計されたものであった。具体的には４５度から９０度を保ち筆記する事が求められるが、しかし実際に使用する際には、紙面に対して９０度にして書くことは難しく、人間工学的には親指、人差し指、中指でペン軸筒を握り、小指球を支点とすることが絶対条件であるため、４５度程度の角度に傾斜となり使用するという結果となっている。【０００５】  又、垂直に書かない事の一因として、人間の両目でボールペンのペン先を立体的に視認しながら無意識に４５度程度の傾斜角度であればリラックスして綺麗に書けるという経験的に最良であると人間工学的に判断されているという点も課題で有った。【０００６】  なお、ペン先を４５度傾斜させて書くことにおいては、筆記ボールが有るボールペンチップにおいてインクがスムーズに出るためのペン尻方向への筆記ボールの引き込みに相応の力を有するため、いわゆる筆記ボールを後退させる方向に無理が有りインクの出が悪くなるという欠点が有った。【０００７】  一方で４５度未満、例えば３０度程度の傾斜で筆記する事に習慣づいている人が通常のボールペンを使用した場合、ペン尻方向への筆記ボールからインクをスムーズに滲出させるために４５度傾斜になるように書こうとすると、かなりの違和感が有り、慣れるまでに時間を要するという欠点も有った。これは文字の線の太さの均一性が損なわれて綺麗な文字や線が書けないという課題となっていた。
【課題を解決するための手段】
【０００８】  上記課題を解決するために本発明は、筆記先端としての先端に筆記ボール（４）を有するボールペンチップ（２）とインクを収納するインク収容管（３）が真っ直ぐな棒状で連結して成るリフィル（１０）を内部に収納する真っ直ぐなペン軸筒（２０）から構成されたボールペン（１）であって、該ボールペン（１）のペン軸筒（２０）の先端に設けられたテーパー部（２１）のテーパー根元（２２）からボールペンチップ（２）が出ている先端穴（２４）方向に前記真っ直ぐなペン軸筒（２０）を基準として８度から１３度の角度（２３）で前記テーパー部（２１）が構成された事を特徴とする先端角度付ボールペンとする。
【発明の効果】
【０００９】  本発明の先端角度付ボールペンは、以上のような構成であるため、ボールペン先端のテーパー部のみが８度から１３度の傾斜を有しているので、仮に握る部分であるボールペンのペン軸筒を４５度未満、例えば３５度に傾斜させて書く癖の有る人であっても、本発明のボールペンで具体的に、テーパー部が１０度テーパー付であれば、３５度プラス１０度は４５度傾斜のボールペン先傾斜角度となるため、手で握っているペン軸筒が３５度の傾斜角度であっても違和感なく４５度保持の書き方の出来るボールペンとすることが出来る。【００１０】  もちろん４５度保持の書き方の出来る人が例えば本発明の１０度の先端角度付ボールペンを使用するとなると４５度プラス１０度は５５度保持のボール先端傾斜角度となるため、より紙面に対して垂直角度に近づくためボールペンチップにおいてインクの出が更にスムーズとなり、筆記ボールの後退方向への力のかかり具合に無理がかからなくなるので、筆記ボールや受座などの摩耗や傷みが減り、ボールペン自体が長持ちする効果が得られ好ましい。【００１１】  更にテーパー部のみが真っ直ぐな通常のペン軸筒より８度から１３度で傾斜させているだけなので、定規などで線を引いたりする場合の視認性が良くなる効果も得られる。【００１２】  又、４５度保持の書き方でより紙面に対して垂直に近く書けるため、軽い筆圧、細字、太字であっても筆圧を簡単に加減出来る優れたものとなる。
【図面の簡単な説明】
【００１３】
【図１】本発明の一実施形態を示す斜視図である。
【図２】本発明の図１のものの正面図である。
【図３】本発明の図１のものの左側面図である。
【図４】本発明の図３におけるＡ−Ａ部を示す断面図である。
【図５】本発明の図４におけるＢ部の拡大図である。
【図６】本発明の一実施例と従来のものとの比較を示した説明図である。
【発明を実施するための形態】
【００１４】  本発明における先端角度付ボールペンの大きさ、デザイン、材質、製造方法などは特に限定されないが、ボールペンの筆記構造としては、リフィルがボールペンのペン軸筒の内部に収納される形態が好ましく、特に弾性体から成るインク収容管で形成されたリフィルを用いるのが好ましい。その弾力によってペン軸筒の先端に設けられたテーパー部の先端穴から筆記ボールを有するボールペンチップが８度から１３度の角度に沿ってボールペンの筆記先端も８度から１３度へと変形して構成されるからである。
【００１５】  なお、本発明において、人間工学的に４５度保持のためのテーパー部の傾斜角度を色々と試した結果、違和感無くボールペンを保持して書ける角度が８度から１３度の範囲であることを検証し、特に１０度が最も書き易さ、ボールペン先端への力のかかり具合などにおいて最良の角度であるということが判明したため、これによって人間工学的にも違和感なく、練習も必要とせずに従来の４５度保持の書き方のままでも、前述の種々の欠点を改善出来る形態となる。
【００１６】  本発明の先端角度付ボールペンにおいては、ペン軸筒とペン先のテーパー部が既に８度から１３度の範囲の角度において決められた角度を有する形状として、例えばＡＢＳ樹脂などの合成樹脂で一体成形して製造しても良い。もちろんペン先のテーパー部のみを合成樹脂のみならず、金属から成る部材としてネジ式での取付け方式として製造しても良い。
【００１７】  又、手でボールペンを握った際に、ペン先のテーパー部が紙面に対して常に下に来るように、ペン軸筒にゴム製のグリップをはめ込んだり、ペン軸筒の握り部分の形状を工夫するのが好ましい。
【００１８】  一方のペン軸筒の内部に収納する真っ直ぐな棒状のリフィルのインク収容管は弾性体として例えばポリプロピレン樹脂、軟質ポリ塩化ビニルなどの軟質系の弾性を有するもので製造するのが好ましい。その弾性力によって例えばペン尻のボタンを押すことでリフィル自体をペン先から繰り出して用いるノック式ボールペンなどにおいてリフィルのペン先に有るボールペンチップがペン軸筒の先端に設けられたテーパー部の角度に沿ってスムーズに繰り出したり、収納されたりという動作に適応出来るのに好ましい形態となる。
【００１９】  又、筆記ボールを有するボールペンチップとインクを収納するインク収容管が真っ直ぐな棒状で連結して成るリフィルを用いることでリフィルの先端にペン軸筒の先端に有る８度から１３度の角度を有するテーパー部と同様の角度を付ける必要がなく、汎用のものをそのまま利用出来る形態となり好ましい。
以下、実施側と図面に基づき説明する。
【実施側】
【００２０】  以下も本発明の一実施例を図１、図２、図３、図４、図５及び図６で説明するが、これによって本発明は何ら限定されるものではない。
【００２１】  図１は、本発明の先端角度付ボールペン（１）を斜めから見た一例を示す斜視図である。一定の真っ直ぐなペン軸筒（２０）と内部にボールペンチップ（２）を先端に有するリフィル（１０）がネジ式のペン尻（３０）から挿入されており、ペン軸筒（２０）の先端に設けられたテーパー部（２１）がテーパー根元（２２）からボールペンチップ（２）が出ている方向に角度（２３）を有していることがわかる。
【００２２】  図２は、本発明の図１の正面図である。これによって本発明の先端角度付ボールペン（１）において真っ直ぐなペン軸筒（２０）の先端に設けられたテーパー部（２１）のテーパー根元（２２）からボールペンチップ（２）が出ている先端穴（２４）方向に前記真っ直ぐなペン軸筒（２０）を基準として８度から１３度の角度（２３）で前記テーパー部（２１）が構成されている事がわかる。
【００２３】  図３は、本発明の図１の左側面図である。テーパー部（２）のテーパー根元（２２）からボールペンチップ（２）が出ている先端方向に角度がついているため、下向きに下がっているのが理解出来る。
【００２４】  図４は、本発明の図３におけるＡ−Ａ部の断面図を示しており、これによって図２で説明したように、真っ直ぐなペン軸筒（２０）を基準として８度から１３度の角度（２３）でテーパー部（２１）が構成されていること、更には内部に筆記ボール（４）を有するボールペンチップ（２）とインクを収納するインク収容管（３）が棒状で連結して成るリフィル（１０）がペン軸筒（２０）の内部の先端のテーパー部（２１）で今回所望の１０度の角度（２３）で設置されていることがわかる。
【００２５】  図５は本発明の図４におけるＢ部の拡大図を示しており、先端のテーパー部（２１）においてテーパー根元（２１）から筆記ボール（４）を有するボールペンチップ（２）が先端穴（２４）から所望の１０度の角度（２３）で設置されているペン軸筒（２０）の内部のリフィル（１０）などの先端構造がより理解出来る。
【００２６】  図６のうちＣにおいては本発明の一実施例のうち１０度の角度（２３）として形成したものが紙面（３１）に対してペン軸筒（２０）の角度が４５度として書いている状態を示しており、図からわかるように筆記ボール（４）は紙面（３１）に対して５５度となることがわかる。一方、図６のうちＤは普通の角度の無いペン軸筒（２０）からテーパー部（２１）までが、真っ直ぐに形成された普通のボールペンが紙面（３１）に対してペン軸筒（２０）の角度が４５度として書いている状態を示している。もちろん筆記ボール（４）も紙面（３１）に対して４５度のままとなっていることがわかる。
【産業上の利用の可能性】
【００２７】  本発明の先端角度付ボールペンは、ペン先端のテーパー部がテーパー根元から８度から１３度の角度で構成されているため、ペン軸筒が紙面に対して人間工学的にも、インクの出が良く書ける４５度傾斜を自然と保つ事が出来るため、より紙面に対して理想的とされている垂直に近い角度に実質は筆記ボールが近づいて書くことの出来る優れたボールペンとなる。
【００２８】  更に、筆記ボールの後退方向への力のかかり具合に無理がかからなくなるので、筆記ボールや受座などの摩耗や傷みが軽減される効果も得られるものとなる。
【符号の説明】
【００２９】１    先端角度付ボールペン
２    ボールペンチップ
３    インク収容管
４    筆記ボール
１０  リフィル
２０  ペン軸筒
２１  テーパー部
２２  テーパー根元
２３  角度
２４  先端穴
３０  ペン尻
３１  紙面
【図１】
2020093511.tif 000003
【図２】
2020093511.tif 000004
【図３】
2020093511.tif 000005
【図４】
2020093511.tif 000006
【図５】
2020093511.tif 000007
【図６】
2020093511.tif 000008